(57)【要約】【課題】簡易な構成で一対の三路スイッチでのオンオフ操作に加えてこれらと連動する無線端末によってもオンオフ操作を行うことのできるスイッチ装置を提供する。【解決手段】回路７の開閉状態を切替えるリレー部１０と、リレー部１０の切替を制御するリレー制御部１１と、リレー制御部１１に接続され一対の三路スイッチ２１，２２により切替回路２３の開閉状態を切替可能な切替手段２０と、リレー制御部１１に対し切替信号を送信可能な第２の切替手段３０とを有し、リレー制御部１１は、切替手段２０において切替回路２３の開閉状態が切り替わったら、回路７の開閉状態を逆転させるようにリレー部１０を制御し、第２の切替手段３０からの切替信号を受信したら、回路７の開閉状態を逆転させるようにリレー部１０を制御する。【選択図】図１
2017224531.tif 000002
【特許請求の範囲】
【請求項１】
回路の開閉状態を切替えるリレー部と、該リレー部の切替を制御するリレー制御部と、該リレー制御部に接続され一対の三路スイッチにより切替回路の開閉状態を切替可能な切替手段と、前記リレー制御部に対し切替信号を送信可能な第２の切替手段とを有するスイッチ装置であって、
前記リレー制御部は、前記切替手段において前記切替回路の開閉状態が切り替わったら、前記回路の開閉状態を逆転させるように前記リレー部を制御し、前記第２の切替手段からの切替信号を受信したら、前記回路の開閉状態を逆転させるように前記リレー部を制御することを特徴とするスイッチ装置。
【請求項２】
前記第２の切替手段は、切替操作可能な無線端末と、該無線端末と無線通信可能で前記リレー制御部に接続された通信手段とを有することを特徴とする請求項１記載のスイッチ装置。
【請求項３】
前記リレー制御部は、制御する前記リレー部の開閉状態の情報を、前記通信手段を介して前記無線端末に送信することを特徴とする請求項２記載のスイッチ装置。
【請求項４】
前記無線端末は、前記リレー制御部から受信した情報に基づき、前記リレー部の開閉状態を表示することを特徴とする請求項３記載のスイッチ装置。
【発明の詳細な説明】
【技術分野】
【０００１】
本発明は、照明器具等の電気機器のオンオフを操作できるスイッチ装置に関する。
【背景技術】
【０００２】
家屋などに設置される照明器具において、そのオンオフの操作を行うために三路スイッチが広く用いられている。三路スイッチは、互いに離れた２箇所にそれぞれ設けられ、２箇所のスイッチのいずれを操作しても、照明器具などの電気機器のオンオフ状態を切り替えることができる。
【０００３】
近年、スマートフォンなどの無線通信機器の普及に伴い、無線端末で照明器具などの電気機器の操作を行うことが考えられている。この場合、スイッチに無線通信手段を設け、無線端末との間で無線通信を行うことにより、スイッチのオンオフを行うことが知られている。このようなスイッチ装置としては、例えば特許文献１に挙げるようなものがある。
【先行技術文献】
【特許文献】
【０００４】
【特許文献１】特開２０１５−１７７２１３号公報
【発明の概要】
【発明が解決しようとする課題】
【０００５】
三路スイッチに無線通信手段を設けて、無線端末から操作を行う構成とした場合、一対の三路スイッチにはそれぞれ無線通信手段が必要となり、コストが上昇する。また、無線通信手段を有する三路スイッチを用意する必要があり、既存の三路スイッチをそのまま使用することができない。
【０００６】
さらには、三路スイッチは、２つが一対となって回路のオンオフを切り替えるものであるため、一方の三路スイッチの状態だけでは、回路がオンの状態かオフの状態かを判別できない。このため、三路スイッチにおける物理的なスイッチのオンオフと、無線端末からの司令によるスイッチのオンオフとを連動させることが難しい。
【０００７】
本発明は前記課題を鑑みてなされたものであり、簡易な構成で一対の三路スイッチでのオンオフ操作に加えてこれらと連動する無線端末によってもオンオフ操作を行うことのできるスイッチ装置を提供することを目的とする。
【課題を解決するための手段】
【０００８】
前記課題を解決するため、請求項１の発明に係るスイッチ装置は、回路の開閉状態を切替えるリレー部と、該リレー部の切替を制御するリレー制御部と、該リレー制御部に接続され一対の三路スイッチにより切替回路の開閉状態を切替可能な切替手段と、前記リレー制御部に対し切替信号を送信可能な第２の切替手段とを有するスイッチ装置であって、
前記リレー制御部は、前記切替手段において前記切替回路の開閉状態が切り替わったら、前記回路の開閉状態を逆転させるように前記リレー部を制御し、前記第２の切替手段からの切替信号を受信したら、前記回路の開閉状態を逆転させるように前記リレー部を制御することを特徴として構成されている。
【０００９】
請求項１に係る発明によれば、一対の三路スイッチでの切替操作に加えて、第２の切替手段によっても、切替操作を行うことができる。
【００１０】
また、請求項２の発明に係るスイッチ装置は、前記第２の切替手段は、切替操作可能な無線端末と、該無線端末と無線通信可能で前記リレー制御部に接続された通信手段とを有することを特徴として構成されている。
【００１１】
請求項２に係る発明によれば、三路スイッチは通常のものを用いつつスマートフォン等の無線端末から切替操作を行うことができる。
【００１２】
さらに、請求項３の発明に係るスイッチ装置は、前記リレー制御部は、制御する前記リレー部の開閉状態の情報を、前記通信手段を介して前記無線端末に送信することを特徴として構成されている。
【００１３】
請求項３に係る発明によれば、無線端末において回路の切替状態を認識することができる。
【００１４】
さらにまた、請求項４の発明に係るスイッチ装置は、前記無線端末は、前記リレー制御部から受信した情報に基づき、前記リレー部の開閉状態を表示することを特徴として構成されている。
【００１５】
請求項４に係る発明によれば、無線端末において切替操作に連動して回路の切替状態を表示させることができる。
【発明の効果】
【００１６】
本発明に係るスイッチ装置によれば、簡易な構成で一対の三路スイッチでのオンオフ操作に加えてこれらと連動する第２の切替手段によってもオンオフ操作を行うことができる。
【図面の簡単な説明】
【００１７】
【図１】本実施形態におけるスイッチ装置の概念的な回路図である。
【図２】無線端末の画面例である。
【図３】本実施形態のスイッチ装置の設置例である。
【発明を実施するための形態】
【００１８】
本発明の実施形態について、図面に沿って詳細に説明する。図１には、本実施形態におけるスイッチ装置１の概念的な回路図を示している。本実施形態におけるスイッチ装置１は、１００Ｖの交流電源６により電力が供給される照明装置５を有する回路７の開閉状態を、切替操作により切り替えることができるものとして構成される。
【００１９】
スイッチ装置１は、回路７の開閉状態を切り替えることのできるリレー部１０と、リレー部１０の開閉動作を制御するリレー制御部１１とを有している。リレー部１０は、リレー駆動電源１２から電力の供給を受けることができる。リレー駆動電源１２は、１２Ｖの電源である。
【００２０】
リレー制御部１１には、切替手段２０と第２の切替手段３０とが接続されている。切替手段２０は、第１三路スイッチ２１と第２三路スイッチ２２とが対をなすように接続された切替回路２３を有している。第１三路スイッチ２１と第２三路スイッチ２２は、いずれも、切替操作されることにより、切替回路２３の開閉状態を逆転させることができる。リレー制御部１１は、切替回路２３の開閉状態を検知することができる。切替回路２３の開閉状態は、その電気抵抗が０または∞のいずれであるかを検出することにより、検知することができる。
【００２１】
第２の切替手段３０は、スマートフォンなどの無線端末３１と、この無線端末３１と無線通信可能な通信手段３２とを有しており、通信手段３２がリレー制御部１１に接続されている。無線端末３１は、通信手段３２を介してリレー制御部１１との間で双方向の通信を行うことができる。
【００２２】
次に、スイッチ装置１の動作について説明する。リレー制御部１１は、切替手段２０において切替回路２３が開状態から閉状態に変化した場合、及び切替回路２３が閉状態から開状態に変化した場合に、内部に設けられたリレーの開閉状態を逆転させる。リレー部１０は、リレー制御部１１内のリレーが開状態のときは、リレー駆動電源１２からの電力供給を受けず、開状態となっている。一方、リレー制御部１１内のリレーが閉状態のときリレー部１０はリレー駆動電源１２からの電力供給を受けて閉状態となる。
【００２３】
切替回路２３が図１に示すように閉状態となっているとき、リレー制御部１１内部のリレーは閉状態となっており、リレー部１０は、リレー駆動電源１２からの電力供給を受けて回路７を閉状態としている。すなわち、照明装置５はオンの状態となっている。ここから、第１三路スイッチ２１と第２三路スイッチ２２のいずれか一方が切替操作され、切替回路２３が閉状態から開状態となると、リレー制御部１１内部のリレーは、閉状態から開状態に逆転し、リレー部１０への電力供給が停止される。これにより、リレー部１０は閉状態から開状態となり、回路７は開状態となる。すなわち、照明装置５はオンからオフの状態に切り替わる。
【００２４】
照明装置５がオフの状態において、第１三路スイッチ２１と第２三路スイッチ２２のいずれか一方が切替操作され、切替回路２３が開状態から閉状態となると、リレー制御部１１内部のリレーは、開状態から閉状態に逆転し、リレー部１０に電力供給がなされる。これにより、リレー部１０は開状態から閉状態となり、回路７は閉状態となる。すなわち、照明装置５はオフからオンの状態に切り替わる。
【００２５】
また、第２の切替手段３０によっても、リレー制御部１１はその状態を逆転させる。照明装置５がオンの状態において、無線端末３１で切替操作がなされると、その情報は通信手段３２を介してリレー制御部１１に送信される。リレー制御部１１は、無線端末３１で切替操作が行われた情報を受信すると、内部のリレーを閉状態から開状態に逆転させ、リレー部１０への電力供給が停止される。これにより、リレー部１０は閉状態から開状態となり、回路７は開状態となる。すなわち、照明装置５はオンからオフの状態に切り替わる。
【００２６】
照明装置５がオフの状態において、無線端末３１で切替操作がなされると、その情報は通信手段３２を介してリレー制御部１１に送信される。リレー制御部１１は、無線端末３１で切替操作が行われた情報を受信すると、リレー制御部１１内部のリレーは、開状態から閉状態に逆転し、リレー部１０に電力供給がなされる。これにより、リレー部１０は開状態から閉状態となり、回路７は閉状態となる。すなわち、照明装置５はオフからオンの状態に切り替わる。
【００２７】
また、リレー制御部１１は、内部のリレーの状態を逆転させる際には、切替手段２０による切替操作か第２の切替手段３０による切替操作かを問わず、リレーの開閉状態の情報を、通信手段３２を介して無線端末３１に送信する。無線端末３１は、リレー制御部１１から受信したリレーの開閉状態の情報から、リレー部１０の開閉状態、すなわち照明装置５のオンオフの状態を認識することができる。
【００２８】
図２には、無線端末３１の画面例を示している。本実施形態では、無線端末３１はスマートフォンである。ただし、無線端末３１はそれ以外の端末であってもよい。図２（ａ）は照明装置５がオフの場合、図２（ｂ）は照明装置５がオンの場合の画面である。これらの図に示すように、無線端末３１の画面には、電源のマークが表示されており、このマークをタップ等により操作することで、切替操作がなされる。
【００２９】
無線端末３１の画面において、電源のマークの周囲には、リング状の領域が表示され、図２（ａ）に示すように、照明装置５がオフの場合、リング状の領域は暗い色で表示される。一方、図２（ｂ）に示すように、照明装置５がオンの場合、リング状の領域は明るい色で表示される。
【００３０】
このように、照明装置５がオンの場合とオフの場合とで、無線端末３１の画面表示を変化させることにより、無線端末３１の画面表示とスイッチ装置１の開閉状態とを連動させ、照明装置５から離れた位置からでもその状態を確認できるようにして、利便性を高くすることができる。リレー制御部１１は、内部のリレーの状態を逆転させる際に切替手段２０による切替操作か第２の切替手段３０による切替操作かを問わず、リレーの開閉状態の情報を送信することから、無線端末３１における切替操作時だけでなく、第１三路スイッチ２１や第２三路スイッチ２２における切替操作時にも、無線端末３１の画面表示を連動して変化させることが可能となっている。
【００３１】
図３には、本実施形態のスイッチ装置１の設置例を示している。この図に示すように、家の階段の上部壁面と下部壁面に、それぞれ第１三路スイッチ２１を有する第１電源スイッチ４０と、第２三路スイッチ２２を有する第２電源スイッチ４１とを設置し、照明装置５のオンオフ操作を階段を挟んだ上階と下階でそれぞれ行うことができるようにするのが一般的である。これに加えて、無線端末３１からも、切替操作を行うことができる。そして、本実施形態では、第１電源スイッチ４０または第２電源スイッチ４１での切替操作がなされた場合、及び無線端末３１自身での切替操作がなされた場合のいずれも、無線端末３１において、照明装置５のオンオフの状態を確認することができる。
【００３２】
このように、一対の三路スイッチ２１，２２をリレー制御部１１に接続し、さらにリレー制御部１１に無線端末３１を有する第２の切替手段３０を接続したことにより、安価な通常の三路スイッチを用いつつ、無線端末３１からも照明装置５のオンオフ操作を行うことができると共に、三路スイッチ２１，２２での切替操作と無線端末３１での切替操作のいずれの場合も、無線端末３１において照明装置５のオンオフの状態を連動して表示させることが可能となる。
【００３３】
無線端末３１は、家庭内ＬＡＮとネットワークで接続されていれば、家の外部からでもリレー制御部１１に対し切替操作の信号を送信することができる。すなわち、外出先等であっても、照明装置５の切替操作を行うことができる。
【００３４】
無線端末３１は、複数用意することもできる。この場合、どの無線端末３１からでも照明装置５の切替操作を行うことができる。また、どの無線端末３１においても、リレー制御部１１からリレーの開閉状態の情報を受信することで、照明装置５のオンオフの状態を認識し、それに連動した表示の切替を行うことができる。
【００３５】
以上、本発明の実施形態について説明したが、本発明の適用は本実施形態には限られず、その技術的思想の範囲内において様々に適用されうるものである。本実施形態では、照明装置５のオンオフ操作にスイッチ装置１を用いたが、オンオフ操作を行う対象となる機器は照明装置５に限られず、その他の電気機器であってもよい。
【符号の説明】
【００３６】
１    スイッチ装置
５    照明装置
６    交流電源
７    回路
１０    リレー部
１１    リレー制御部
１２    リレー駆動電源
２０    切替手段
２１    第１三路スイッチ
２２    第２三路スイッチ
２３    切替回路
３０    第２の切替手段
３１    無線端末
３２    通信手段
４０    第１電源スイッチ
４１    第２電源スイッチ
【図１】
2017224531.tif 000003
【図２】
2017224531.tif 000004
【図３】
2017224531.tif 000005
【手続補正書】
【提出日】平成28年10月26日(2016.10.26)
【手続補正１】
【補正対象書類名】特許請求の範囲
【補正対象項目名】全文
【補正方法】変更
【補正の内容】
【特許請求の範囲】
【請求項１】
回路の開閉状態を切替えるリレー部と、該リレー部の切替を制御するリレー制御部と、該リレー制御部に接続され一対の三路スイッチにより切替回路の開閉状態を切替可能な切替手段と、前記リレー制御部に対し切替信号を送信可能な第２の切替手段とを有するスイッチ装置であって、
前記リレー制御部は、前記切替手段において前記切替回路の開閉状態が切り替わったら、前記回路の開閉状態を逆転させてその状態を維持するように前記リレー部を制御し、前記第２の切替手段からの切替信号を受信したら、前記切替手段の状態に関わらず前記回路の開閉状態を逆転させてその状態を維持するように前記リレー部を制御することを特徴とするスイッチ装置。
【請求項２】
前記第２の切替手段は、切替操作可能な無線端末と、該無線端末と無線通信可能で前記リレー制御部に接続された通信手段とを有することを特徴とする請求項１記載のスイッチ装置。
【請求項３】
前記リレー制御部は、制御する前記リレー部の開閉状態の情報を、前記通信手段を介して前記無線端末に送信することを特徴とする請求項２記載のスイッチ装置。
【請求項４】
前記無線端末は、前記リレー制御部から受信した情報に基づき、前記リレー部の開閉状態を表示することを特徴とする請求項３記載のスイッチ装置。
【手続補正２】
【補正対象書類名】明細書
【補正対象項目名】０００８
【補正方法】変更
【補正の内容】
【０００８】
前記課題を解決するため、請求項１の発明に係るスイッチ装置は、回路の開閉状態を切替えるリレー部と、該リレー部の切替を制御するリレー制御部と、該リレー制御部に接続され一対の三路スイッチにより切替回路の開閉状態を切替可能な切替手段と、前記リレー制御部に対し切替信号を送信可能な第２の切替手段とを有するスイッチ装置であって、
前記リレー制御部は、前記切替手段において前記切替回路の開閉状態が切り替わったら、前記回路の開閉状態を逆転させてその状態を維持するように前記リレー部を制御し、前記第２の切替手段からの切替信号を受信したら、前記切替手段の状態に関わらず前記回路の開閉状態を逆転させてその状態を維持するように前記リレー部を制御することを特徴として構成されている。